(57)【要約】【課題】ゴム套管への電力ケーブルの挿入作業性を向上させる電力ケーブル終端接続部組立用治具を提供する。【解決手段】電力ケーブルの終端部にゴム套管を装着する際に、前記ゴム套管を保形するために前記ゴム套管に挿入される電力ケーブル終端接続部組立用治具であって、前記ゴム套管の内径よりも外径が大きく、前記ゴム套管の内周面と接触して前記ゴム套管を拡径する棒状の本体部と、前記本体部の一端側に前記電力ケーブルの終端部と接続する接続部と、を備え、前記本体部の少なくとも一部は、多孔質体で形成され、この多孔質体に含浸される潤滑油を有する電力ケーブル終端接続部組立用治具。【選択図】図４
2017212813.tif 000002
【特許請求の範囲】
【請求項１】
電力ケーブルの終端部にゴム套管を装着する際に、前記ゴム套管を保形するために前記ゴム套管に挿入される電力ケーブル終端接続部組立用治具であって、
前記ゴム套管の内径よりも外径が大きく、前記ゴム套管の内周面と接触して前記ゴム套管を拡径する棒状の本体部と、
前記本体部の一端側に前記電力ケーブルの終端部と接続する接続部と、を備え、
前記本体部の少なくとも一部は、多孔質体で形成され、この多孔質体に含浸される潤滑油を有する電力ケーブル終端接続部組立用治具。
【請求項２】
前記ゴム套管の内径を１００％としたとき、前記本体部の外径が前記ゴム套管の内径の１５０％以上４００％以下である請求項１に記載の電力ケーブル終端接続部組立用治具。
【請求項３】
前記本体部の外径が前記電力ケーブルの終端部の外径よりも大きく、
前記ゴム套管の内径を１００％としたとき、前記本体部の外径と前記電力ケーブルの終端部の外径との差が前記ゴム套管の内径の１０％以上である請求項１又は請求項２に記載の電力ケーブル終端接続部組立用治具。
【請求項４】
前記多孔質体が多孔質焼結体である請求項１から請求項３のいずれか１項に記載の電力ケーブル終端接続部組立用治具。
【請求項５】
電力ケーブルの終端部にゴム套管を装着する電力ケーブル終端接続部の組立方法であって、
請求項１から請求項４のいずれか１項に記載の電力ケーブル終端接続部組立用治具の前記本体部を前記ゴム套管に挿入すると共に、前記電力ケーブル終端接続部組立用治具の前記接続部に前記電力ケーブルの終端部を接続する準備工程と、
前記ゴム套管と前記電力ケーブルの終端部とを相対的に移動させ、前記電力ケーブルの終端部に前記ゴム套管を装着する装着工程と、を備える電力ケーブル終端接続部の組立方法。
【発明の詳細な説明】
【技術分野】
【０００１】
本発明は、電力ケーブル終端接続部組立用治具、及び電力ケーブル終端接続部の組立方法に関する。
【背景技術】
【０００２】
布設したＣＶケーブル（架橋ポリエチレン絶縁ビニルシースケーブル）等の電力ケーブルと屋内配線、架空線又は電力機器とを接続する場合、一般に、電力ケーブルの終端部に気中終端接続部（以下、単に「終端接続部」と呼ぶ）が施される。終端接続部には、ゴムで一体成型されたゴムモールド套管（以下、単に「ゴム套管」）が使用されることがある（特許文献１を参照）。
【０００３】
ゴム套管を使用する場合、終端接続部は、電力ケーブルの終端部を段剥ぎした後、ゴム套管に差し込むことにより、電力ケーブルの終端部にゴム套管を装着することで組み立てられる。通常、ゴム套管の内径は、段剥ぎされた電力ケーブルの絶縁体の外径よりも小さく形成されている。よって、電力ケーブルの終端部にゴム套管を装着する場合は、ゴム套管を弾性変形させ拡径させながら電力ケーブルの終端部を挿入している。ゴム套管は、ゴムの弾性力（復元力）によって、電力ケーブルの絶縁体の外周面に密着した状態で装着されることになる。
【０００４】
ゴム套管は、ゴムで形成されている上、長尺であるため、それ自体で自立することができず、ゴム套管に電力ケーブルの終端部を挿入する際にゴム套管が座屈を起こし易く、電力ケーブルの挿入作業が行い難いという問題がある。
【０００５】
例えば特許文献１に、電力ケーブルの端部にゴム套管を装着する電力ケーブル終端接続部の組立方法、及び電力ケーブルの端部にゴム套管を装着する際に用いる組立用の芯棒（治具）が記載されている。特許文献１に記載の組立方法では、電力ケーブルの端部に芯棒の一端を接続し、芯棒を套管内に位置させた後、芯棒及び電力ケーブルを套管内で移動させて電力ケーブルの外周に套管を装着する。特許文献１には、芯棒を套管内に挿入して、套管の直線性を保持することで、套管が座屈を起こして電力ケーブルの挿入が困難になるのを回避することが記載されている。
【先行技術文献】
【特許文献】
【０００６】
【特許文献１】特開２０１３−１６９０２１号公報
【発明の概要】
【発明が解決しようとする課題】
【０００７】
ゴム套管への電力ケーブルの挿入作業をより容易に行うことが求められる。
【０００８】
本発明は上記事情に鑑みてなされたもので、本発明の目的の一つは、ゴム套管への電力ケーブルの挿入作業性を向上させる電力ケーブル終端接続部組立用治具を提供することにある。本発明の別の目的は、ゴム套管への電力ケーブルの挿入作業をより容易に行うことができる電力ケーブル終端接続部の組立方法を提供することにある。
【課題を解決するための手段】
【０００９】
本発明の一態様に係る電力ケーブル終端接続部組立用治具は、
電力ケーブルの終端部にゴム套管を装着する際に、前記ゴム套管を保形するために前記ゴム套管に挿入される電力ケーブル終端接続部組立用治具であって、
前記ゴム套管の内径よりも外径が大きく、前記ゴム套管の内周面と接触して前記ゴム套管を拡径する棒状の本体部と、
前記本体部の一端側に前記電力ケーブルの終端部と接続する接続部と、を備え、
前記本体部の少なくとも一部は、多孔質体で形成され、この多孔質体に含浸される潤滑油を有する。
【００１０】
本発明の一態様に係る電力ケーブル終端接続部の組立方法は、
電力ケーブルの終端部にゴム套管を装着する電力ケーブル終端接続部の組立方法であって、
上記本発明の一態様に係る電力ケーブル終端接続部組立用治具の前記本体部を前記ゴム套管に挿入すると共に、前記電力ケーブル終端接続部組立用治具の前記接続部に前記電力ケーブルの終端部を接続する準備工程と、
前記ゴム套管と前記電力ケーブルの終端部とを相対的に移動させ、前記電力ケーブルの終端部に前記ゴム套管を装着する装着工程と、を備える。
【発明の効果】
【００１１】
上記電力ケーブル終端接続部組立用治具は、ゴム套管への電力ケーブルの挿入作業性を向上させる。上記電力ケーブル終端接続部の組立方法は、ゴム套管への電力ケーブルの挿入作業をより容易に行うことができる。
【図面の簡単な説明】
【００１２】
【図１】終端接続部の一例を示す概略部分断面図である。
【図２】電力ケーブルの終端部の一例を示す概略平面図である。
【図３】ゴム套管の一例を示す概略半断面図である。
【図４】実施形態に係る電力ケーブル終端接続部組立用治具の一例を示す概略平面図である。
【図５】実施形態に係る電力ケーブル終端接続部の組立方法を説明する概略図である。
【発明を実施するための形態】
【００１３】
［本発明の実施形態の説明］
本発明者は、ゴム套管を保形するためゴム套管に棒状の治具を挿入し、治具の一端に電力ケーブルの終端部を接続して、ゴム套管に電力ケーブルの終端部を挿入する場合、治具の外径をゴム套管の内径よりも大きくすることを検討した。これにより、ゴム套管を治具で拡径させながら電力ケーブルの終端部を挿入できるため、電力ケーブルの挿入抵抗が小さくなる。しかし、この場合、治具がゴム套管の内周面に接触しながら移動することになるため、治具とゴム套管との間に摩擦が発生し、電力ケーブルの挿入作業を十分に改善できない場合がある。
【００１４】
そこで、本発明者は、ゴム套管に接触する治具の表面に潤滑油を塗布することで、治具の摩擦抵抗を低減することを考えた。しかしながら、治具の表面に潤滑油を塗布しても、治具をゴム套管に挿入する際や治具がゴム套管内を移動する際に潤滑油が削ぎ落とされる虞がある。そのため、電力ケーブルの挿入途中で油切れを起こす可能性があり、潤滑性を維持できない場合が考えられる。
【００１５】
本発明者は、電力ケーブルの挿入作業をより容易にするため、多孔質体に潤滑油が含浸された多孔質含油材料を治具に用いることを提案する。以下、本発明の実施態様を列記して説明する。
【００１６】
（１）本発明の一態様に係る電力ケーブル終端接続部組立用治具は、
電力ケーブルの終端部にゴム套管を装着する際に、前記ゴム套管を保形するために前記ゴム套管に挿入される電力ケーブル終端接続部組立用治具であって、
前記ゴム套管の内径よりも外径が大きく、前記ゴム套管の内周面と接触して前記ゴム套管を拡径する棒状の本体部と、
前記本体部の一端側に前記電力ケーブルの終端部と接続する接続部と、を備え、
前記本体部の少なくとも一部は、多孔質体で形成され、この多孔質体に含浸される潤滑油を有する。
【００１７】
上記電力ケーブル終端接続部組立用治具（以下、単に「治具」と呼ぶ場合がある）によれば、ゴム套管に挿入することで、電力ケーブルの終端部にゴム套管を装着する際にゴム套管を保形できるため、ゴム套管の座屈を回避でき、電力ケーブルの挿入作業が容易になる。本体部の外径がゴム套管の内径よりも大きく、ゴム套管に電力ケーブルの終端部を挿入する際に本体部でゴム套管を拡径させるので、電力ケーブルの挿入抵抗を低減できる。また、本体部の少なくとも一部が多孔質体で形成され、この多孔質体に含浸される潤滑油を有することで、電力ケーブルの挿入作業中、含浸された潤滑油が本体部の表面に染み出すことにより、油切れを回避でき、潤滑性を維持できる。そのため、電力ケーブルの挿入途中で治具の摩擦抵抗が増加することを抑制でき、電力ケーブルの挿入作業がより容易になる。よって、上記治具は、ゴム套管への電力ケーブルの挿入作業性を向上させることができ、終端接続部の組み立てを容易にする。
【００１８】
ここでいう「ゴム套管の内径」は、ゴム套管に治具（本体部）や電力ケーブル等が挿入されておらず、ゴム套管が弾性変形により拡径していない自由な状態での内径である。また、「本体部の少なくとも一部」とは、本体部のゴム套管と接触する部分の少なくとも一部を意味する。
【００１９】
（２）電力ケーブル終端接続部組立用治具の一形態として、前記ゴム套管の内径を１００％としたとき、前記本体部の外径が前記ゴム套管の内径の１５０％以上４００％以下であることが挙げられる。
【００２０】
本体部の外径がゴム套管の内径の１５０％以上であることで、ゴム套管を十分に拡径することができ、電力ケーブルの挿入が容易になる。本体部の外径の上限は、ゴム套管が破断せず、ゴム套管が伸びきらない（弾性力を失わない）範囲であれば特に限定されないが、例えばゴム套管の内径の４００％以下である。
【００２１】
（３）電力ケーブル終端接続部組立用治具の一形態として、前記本体部の外径が前記電力ケーブルの終端部の外径よりも大きく、前記ゴム套管の内径を１００％としたとき、前記本体部の外径と前記電力ケーブルの終端部の外径との差が前記ゴム套管の内径の１０％以上であることが挙げられる。
【００２２】
本体部の外径が電力ケーブルの終端部の外径よりも大きく、本体部の外径と電力ケーブルの終端部の外径との差がゴム套管の内径の１０％以上であることで、電力ケーブルの挿入が容易になる。
【００２３】
（４）電力ケーブル終端接続部組立用治具の一形態として、前記多孔質体が多孔質焼結体であることが挙げられる。
【００２４】
多孔質体は、全体に亘って連続した開気孔を有することが好ましく、このような材料としては、多孔質焼結体が好適である。
【００２５】
（５）本発明の一態様に係る電力ケーブル終端接続部の組立方法は、
電力ケーブルの終端部にゴム套管を装着する電力ケーブル終端接続部の組立方法であって、
上記（１）から（４）のいずれか１つに記載の電力ケーブル終端接続部組立用治具の前記本体部を前記ゴム套管に挿入すると共に、前記電力ケーブル終端接続部組立用治具の前記接続部に前記電力ケーブルの終端部を接続する準備工程と、
前記ゴム套管と前記電力ケーブルの終端部とを相対的に移動させ、前記電力ケーブルの終端部に前記ゴム套管を装着する装着工程と、を備える。
【００２６】
上記電力ケーブル終端接続部の組立方法（以下、単に「組立方法」と呼ぶ場合がある）によれば、上述した本発明の一態様に係る治具を用いることで、電力ケーブルの終端部にゴム套管を装着する際にゴム套管の座屈を回避して、電力ケーブルを挿入できる。ゴム套管と電力ケーブルの終端部とを相対的に移動させ、本体部でゴム套管を拡径しながら電力ケーブルを挿入していくので、電力ケーブルの挿入抵抗を低減できる。更に、電力ケーブルの挿入作業中、含浸された潤滑油が本体部の表面に染み出すことにより、潤滑性を維持できる。そのため、電力ケーブルの挿入途中で油切れによる治具の摩擦抵抗の増加を抑制でき、電力ケーブルの挿入作業がより容易になる。よって、上記組立方法は、ゴム套管への電力ケーブルの挿入作業をより容易に行うことができ、終端接続部の組み立てが容易になる。
【００２７】
［本発明の実施形態の詳細］
本発明の実施形態に係る電力ケーブル終端接続部組立用治具、及び電力ケーブル終端接続部の組立方法の具体例を説明する。図中の同一符号は、同一名称物を示す。なお、本発明はこれらの例示に限定されるものではなく、特許請求の範囲によって示され、特許請求の範囲と均等の意味および範囲内でのすべての変更が含まれることが意図される。
【００２８】
＜終端接続部＞
まず、図１〜図３を参照して電力ケーブルの終端接続部を説明する。終端接続部１は、図１に示すように、電力ケーブル１０の終端部にゴム套管２０を装着することで構成されている。終端接続部１の先端部には、絶縁材料からなるキャップ５０が取り付けられている。
【００２９】
（電力ケーブル）
電力ケーブル１０は、導体１１上にゴム又はプラスチック等の絶縁体１２が被覆された電力ケーブルであり、この例ではＣＶケーブルである。電力ケーブル１０は、導体１１、導体１１の外周に形成された内部半導電層（図示せず）及びその外周に形成された絶縁体１２、絶縁体１２の外周に形成された外部半導電層１３、外部半導電層１３の外周に形成された遮蔽層（図示せず）及びシース１４を備える。電力ケーブル１０の終端部では、図２に示すように、段剥ぎ処理され、導体１１、絶縁体１２及び外部半導電層１３が露出される。また、導体１１の先端には、銅やアルミニウム、又はそれらの合金等からなる導体引出棒１５（図１参照）が圧縮接続される。電力ケーブル１０の終端部には、導体引出棒１５が含まれる。この例では、電力ケーブル１０の終端部の外径が、後述するゴム套管２０の内径の１１０％以上１４５％以下に設定されている。ここでいう「電力ケーブルの外径」とは、電力ケーブル１０の導体１１の外周に形成された絶縁体１２の外径を意味する。電力ケーブル１０の終端部の外径がゴム套管２０の内径よりも大きいことで、電力ケーブル１０の終端部にゴム套管２０を装着して終端接続部１を組み立てた際、電力ケーブル１０の終端部とゴム套管２０とを所定の面圧で密着させる。電力ケーブル１０の終端部の外径は、終端部における絶縁体１２の外周面とゴム套管２０の内周面との間に所定の面圧が生じるように、ゴム套管２０の内径の例えば１４０％以下、更に１３０％以下とすることが挙げられる。
【００３０】
ゴム套管２０は、ゴムで一体成型された套管であり、この例ではシリコーンゴムで一体成型されたシリコーンゴム套管である。ゴム套管２０は、基端側に設けられた短尺の太径部２２と、太径部２２から先端側に長尺に延びて設けられ、長手方向に間隔をあけて複数の襞２１１が形成された細径部２１とを備える。図３に示すように、太径部２２の内部には、ストレスコーン２３が一体にモールドされている。ゴム套管２０には、中心軸に沿って貫通孔２４が形成されている。ゴム套管２０の全長は、用途によって異なるが、例えば１０００ｍｍ以上３０００ｍｍ以下である。ゴム套管２０の内径は、電力ケーブルの仕様（導体サイズ等）によって異なるが、例えば２５ｍｍ以上１２０ｍｍ以下であり、具体的には２９ｍｍ以上７０ｍｍ以下である。なお、「ゴム套管の内径」とは、段剥ぎされた電力ケーブル１０（図１参照）の絶縁体１２が挿入される細径部２１の内径を意味する。
【００３１】
＜電力ケーブル終端接続部組立用治具＞
図１〜図３を適宜参照しつつ、図４に基づいて、実施形態に係る電力ケーブル終端接続部組立用治具を説明する。治具３０は、図１に示す電力ケーブル１０の終端部にゴム套管２０を装着する際に用いられ、ゴム套管２０を保形するためにゴム套管２０に挿入される（詳細は後述する）。治具３０は、棒状の本体部３１と、本体部３１の一端側に接続部３２とを備える。治具３０の特徴の１つは、本体部３１の少なくとも一部が多孔質体で形成され、この多孔質体に含浸される潤滑油を有する点にある。以下、治具３０の構成を詳しく説明する。
【００３２】
（本体部）
本体部３１は、ゴム套管２０（図３参照）の内径よりも外径が大きく、ゴム套管２０に治具３０が挿入されたとき、ゴム套管２０の内周面と接触してゴム套管２０を拡径する。本体部３１は、ゴム套管２０を保形できる程度の剛性を有する。この例では、本体部３１の外径が、ゴム套管２０の内径の１５０％以上４００％以下に設定されると共に、本体部３１の外径と電力ケーブル１０（絶縁体１２）の外径との差がゴム套管２０の内径の１０％以上に設定されている。ゴム套管２０に治具３０（本体部３１）を挿入する観点から、本体部３１の外径は、ゴム套管２０の内径の例えば２００％以下とすることが好ましい。治具３０（本体部３１）の全長は、ゴム套管２０の全長よりも長く設定されている。また、治具３０（本体部３１）の先端部（接続部３２とは反対側の端部）が丸くなっており、本体部３１の先端側からゴム套管２０に挿入し易くなっている。
【００３３】
〈多孔質体〉
この例では、本体部３１が多孔質体で形成され、潤滑油が含浸され保持されている。多孔質体は、連続した開気孔を有しており、気孔率が例えば５％以上であることが好ましい。ここでいう「気孔率」とは、多孔質体の真密度をＤＡ、多孔質体の嵩密度をＤＢとするとき、［（ＤＡ−ＤＢ）／ＤＡ］×１００（％）で算出される値である。多孔質体の気孔率が大きいほど、多孔質体中の潤滑油の含油量が増える傾向があるが、気孔率が大きくなり過ぎると、多孔質体の機械的強度の低下や、多孔質体の表面粗さが大きくなって表面性状の低下を招く場合がある。多孔質体の気孔率は、例えば５％以上４０％以下、更に１０％以上３０％以下とすることが挙げられる。
【００３４】
多孔質体には、多孔質焼結体が好適に利用できる。多孔質焼結体としては、例えば、鉄やアルミニウム、又はそれらの合金等の金属粉末を焼結した金属焼結体（例、鉄系焼結体、アルミニウム系焼結体等）、アルミナ等のセラミックス粉末を焼結したセラミックス焼結体（例、アルミナ焼結体等）が挙げられる。
【００３５】
〈潤滑油〉
潤滑油は、ゴム套管２０に治具３０が挿入されたとき、本体部３１の表面に染み出して潤滑性を付与する。潤滑油の粘度は、多孔質体に含浸し易いように適宜調整するとよい。潤滑油としては、電力ケーブル１０やゴム套管２０に悪影響を与えるものでなければ特に限定されるものではなく、例えば、ゴム套管２０の構成材料がシリコーンゴムの場合、変成シリコーン油、フッ素油等が挙げられる。
【００３６】
（接続部）
接続部３２は、本体部３１の一端側に設けられており、電力ケーブル１０の終端部（図２参照）と接続する部分である。具体的には、導体１１の先端に設けられた導体引出棒１５（図１参照）と接続される。接続部３２と導体引出棒１５との接続は、例えば、接続部３２又は導体引出棒１５の一方に雄ネジ部を設けると共に、他方に雄ネジ部と結合する雌ネジ部を設けてネジ結合する等、適宜な接続方式を採用できる。この例では、接続部３２に雄ネジ部が設けられおり、導体引出棒１５の先端に雌ネジ部が形成されている。接続部３２は本体部３１に一体に形成されていてもよいし、本体部３１に別体で取り付けられていてもよい。
【００３７】
＜電力ケーブル終端接続部の組立方法＞
図１〜図４を適宜参照しつつ、図５に基づいて、実施形態に係る電力ケーブル終端接続部の組立方法を説明する。実施形態の組立方法は、準備工程と、装着工程とを備える。この組立方法の特徴の１つは、上述した治具３０を用いることにある。以下、組立方法の各工程を詳しく説明する。
【００３８】
（準備工程）
準備工程は、図５に示すように、治具３０の本体部３１をゴム套管２０に挿入する（図５の上図参照）と共に、治具３０の接続部３２に電力ケーブル１０の終端部を接続する（図５の中図参照）工程である。
【００３９】
ゴム套管２０への治具３０の挿入は、予め工場で挿入しておくことが好ましい。この場合、現場でゴム套管２０に治具３０（本体部３１）を挿入する必要がないので、作業時間を短縮できる。ゴム套管２０に治具３０を挿入する場合は、本体部３１の先端側をゴム套管２０の基端側（太径部２２側）から挿入するとよい。治具３０と電力ケーブル１０の終端部との接続は、上述したように、接続部３２に導体引出棒１５を接続して行う。治具３０と電力ケーブル１０の終端部との接続は、ゴム套管２０に治具３０を挿入する前に行うことも可能であり、この場合、接続部３２に電力ケーブル１０の終端部を接続した状態で、ゴム套管２０に本体部３１を挿入する。
【００４０】
ゴム套管２０に治具３０が挿入されることで、本体部３１によってゴム套管２０が保形されると共に、ゴム套管２０が弾性変形して拡径されることになる（図５の中図参照）。
【００４１】
（装着工程）
装着工程は、図５の下図に示すように、ゴム套管２０と電力ケーブル１０の終端部とを相対的に移動させ、電力ケーブル１０の終端部にゴム套管２０を装着する工程である。
【００４２】
電力ケーブル１０の終端部にゴム套管２０を装着する方法としては、例えば、図５の中図に示す状態から、治具３０の先端側（接続部３２とは反対側）を固定して、ゴム套管２０の太径部２２側の端部を電力ケーブル１０側に引っ張り、電力ケーブル１０の終端部に対してゴム套管２０を移動させる。これにより、ゴム套管２０を電力ケーブル１０に被せるようにして、ゴム套管２０に電力ケーブル１０の終端部を挿入する。
【００４３】
或いは、ゴム套管２０を固定しておいて、治具３０の先端側を引っ張り、ゴム套管２０に対して電力ケーブル１０の終端部を移動させる。これにより、ゴム套管２０に電力ケーブル１０の終端部を引き込んで挿入する。
【００４４】
｛効果｝
上述した実施形態の電力ケーブル終端接続部組立用治具、及び電力ケーブル終端接続部の組立方法は、次の効果を奏する。
【００４５】
治具３０をゴム套管２０に挿入することで、ゴム套管２０に電力ケーブル１０の終端部を挿入する際にゴム套管２０を保形できるため、電力ケーブル１０の挿入作業が容易になる。また、治具３０の本体部３１の外径がゴム套管２０の内径よりも大きく、電力ケーブル１０の終端部を挿入する際に本体部３１でゴム套管２０を拡径させながら電力ケーブル１０を挿入していくので、電力ケーブル１０の挿入抵抗を低減できる。加えて、本体部３１が多孔質体に潤滑油が含浸された多孔質含油材料で形成されていることで、電力ケーブルの挿入作業中、含浸された潤滑油が本体部３１の表面に染み出すことにより、潤滑性が維持される。したがって、電力ケーブルの挿入作業がより容易になる。ゴム套管２０への治具３０の挿入も本体部３１に潤滑油が含浸されているため容易である。
【００４６】
実施形態では、ゴム套管２０の内径、電力ケーブル１０の終端部の外径、治具３０（本体部３１）の外径の順に直径が大きくなっており、電力ケーブル１０の挿入抵抗を効果的に低減できるため、電力ケーブル１０の挿入が容易になる。
【産業上の利用可能性】
【００４７】
本発明の電力ケーブル終端接続部組立用治具、電力ケーブル終端接続部の組立方法は、ＣＶケーブルの気中終端接続部の組み立てに好適に利用可能である。
【符号の説明】
【００４８】
１  終端接続部
１０  電力ケーブル
１１  導体
１２  絶縁体
１３  外部半導電層
１４  シース
１５  導体引出棒
２０  ゴム套管
２１  細径部
２１１  襞
２２  太径部
２３  ストレスコーン
２４  貫通孔
３０  治具
３１  本体部
３２  接続部
５０  キャップ
【図１】
2017212813.tif 000003
【図２】
2017212813.tif 000004
【図３】
2017212813.tif 000005
【図４】
2017212813.tif 000006
【図５】
2017212813.tif 000007